(57)【要約】【課題】  陳列室内の冷却に支障の無い範囲で網棚の商品載置面積を拡大できるショーケースを提供する。【解決手段】  ショーケース１は、底枠の四隅に立設された支柱７、７，８、８により支持された透明壁９、扉１２にて周囲が囲繞された陳列室１４を備えて成るものであって、陳列室１４内に架設された商品陳列用の網棚２と、底枠の一側に形成された冷気吐出口と、底枠の他側に形成された冷気吸込口とを備え、陳列室１４他側の透明壁９と網棚２との間隔を、陳列室１４一側の透明壁９と網棚２との間隔よりも狭くした。【選択図】図２
2005156117.tif 000002
【特許請求の範囲】
【請求項１】
底枠四隅に立設された支柱により支持された透明壁にて周囲が囲繞された陳列室を備えて成るショーケースにおいて、
前記陳列室内に架設された商品陳列用の網棚と、前記底枠の一側に形成された冷気吐出口と、前記底枠の他側に形成された冷気吸込口とを備え、
前記陳列室他側の前記透明壁と前記網棚との間隔を、前記陳列室一側の前記透明壁と前記網棚との間隔よりも狭くしたことを特徴とするショーケース。
【請求項２】
前面に位置する前記透明壁を開閉自在の前扉とすると共に、後面に位置する前記透明壁を固定された透明壁とする場合と開閉自在の後扉とする場合とで、当該後面に位置する透明壁の外面位置が同一となるよう構成したことを特徴とする請求項１のショーケース。
【請求項３】
前記支柱を硬質合成樹脂にて構成し、当該支柱には電気部品の配線収納部を形成すると共に、該配線収納部の開口には軟質合成樹脂から成るヒレ片を一体に成形したことを特徴とする請求項１又は請求項２のショーケース。
【発明の詳細な説明】
【技術分野】
【０００１】
本発明は、透明壁にて周囲が囲繞された陳列室を備えたショーケースに関するものである。
【背景技術】
【０００２】
従来より此の種ショーケースでは、底枠の四隅に立設した支柱に左右及び後面の透明壁と前面の透明扉（透明壁）を取り付けることにより、これら透明壁で囲繞された陳列室を本体に構成している。そして、この陳列室には商品陳列用の網棚を架設すると共に、底枠の一側から冷気を吐出し、他側から吸い込んで陳列室内に冷気を循環させ、所定の温度に冷却する構造が採られていた（例えば、特許文献１参照）。
【特許文献１】特開平５−２０３３３２号公報
【発明の開示】
【発明が解決しようとする課題】
【０００３】
このように周囲が透明壁にて囲繞された陳列室を有するショーケースでは、底枠の一側から冷気を吐出し、他側から吸い込んで陳列室内に冷気を循環させる構成が採られている関係上、網棚と一側の透明壁の間には冷気が上昇する間隔を、また、網棚と他側の透明壁の間には冷気が降下するための間隔を作らなければならない。そのため、限られた設置スペース内では網棚の商品載置面積も限られてしまうと云う問題があった。
【０００４】
本発明は、係る従来の技術的課題を解決するために成されたものであり、陳列室内の冷却に支障の無い範囲で網棚の商品載置面積を拡大できるショーケースを提供するものである。
【課題を解決するための手段】
【０００５】
本発明のショーケースは、底枠四隅に立設された支柱により支持された透明壁にて周囲が囲繞された陳列室を備えて成るものであって、陳列室内に架設された商品陳列用の網棚と、底枠の一側に形成された冷気吐出口と、底枠の他側に形成された冷気吸込口とを備え、陳列室他側の透明壁と網棚との間隔を、陳列室一側の透明壁と網棚との間隔よりも狭くしたことを特徴とする。
【０００６】
請求項２の発明のショーケースは上記において、前面に位置する透明壁を開閉自在の前扉とすると共に、後面に位置する透明壁を固定された透明壁とする場合と開閉自在の後扉とする場合とで、当該後面に位置する透明壁の外面位置が同一となるよう構成したことを特徴とする。
【０００７】
請求項３の発明のショーケースは上記各発明において、支柱を硬質合成樹脂にて構成し、当該支柱には電気部品の配線収納部を形成すると共に、この配線収納部の開口には軟質合成樹脂から成るヒレ片を一体に成形したことを特徴とする。
【発明の効果】
【０００８】
本発明によれば、底枠四隅に立設された支柱により支持された透明壁にて周囲が囲繞された陳列室を備えて成るショーケースにおいて、陳列室内に架設された商品陳列用の網棚と、底枠の一側に形成された冷気吐出口と、底枠の他側に形成された冷気吸込口とを備え、陳列室他側の透明壁と網棚との間隔を、陳列室一側の透明壁と網棚との間隔よりも狭くしたので、網棚の商品載置面積を拡張し、商品陳列能力を向上させることができるようになる。
【０００９】
この場合、網棚の拡張によって狭められるのは陳列室内を冷気が降下する側の間隔であるので、自重で冷気は降下しようとするため、冷却性能への悪影響は殆ど生じないものである。
【００１０】
請求項２の発明によれば、上記に加えて前面に位置する透明壁を開閉自在の前扉とすると共に、後面に位置する透明壁を固定された透明壁とする場合と開閉自在の後扉とする場合とで、当該後面に位置する透明壁の外面位置が同一となるよう構成したので、一枚扉と前後二枚扉の場合で輸送や保管時の梱包などを同一とし、設置スペースも同一とすることができるので、取り扱いが容易となる。
【００１１】
請求項３の発明によれば、上記各発明に加えて支柱を硬質合成樹脂にて構成し、当該支柱には電気部品の配線収納部を形成したので、照明や電気ヒータなどの電気部品の配線を配線収納部内に支障無く収納することができる。特に、配線収納部の開口には軟質合成樹脂から成るヒレ片を一体に成形しているので、配線の収納性を確保しながら、脱落も効果的に防止することができるようになる。
【発明を実施するための最良の形態】
【００１２】
以下、図面に基づき本発明の一実施形態を詳述する。尚、以下の実施例で説明するショーケース１は例えばスーパーマーケットやコンビニエンスストア等の店舗に設置されてペットボトル入り飲料や缶飲料を冷却（若しくは加温）販売するためのショーケースである。
【実施例１】
【００１３】
図１は本発明を適用した実施例のショーケース１の分解斜視図を示し、図２はショーケース１の天壁１１を外した状態の平面図、図３は天壁１１、網棚２及び底板１３を外した状態の図２に対応する平面図をそれぞれ示している。実施例のショーケース１の本体３は、発泡ポリウレタンなどから成る断熱壁４と、この断熱壁４の上面に取り付けられた硬質合成樹脂製の底枠６と、この底枠６の四隅に立設された前支柱７、７及び後支柱８、８と、これら支柱７、７、８、８に支持された透明ペアガラス製の左右及び後面の縦長の透明壁９、９、９と、天壁１１により構成されている。
【００１４】
そして、向かって右側の前支柱７には周囲のサッシュ１２Ａにこれも透明ペアガラス１２Ｂを填め込んだ透明壁としての縦長の扉１２（前扉）が回動自在に枢支されており、本体３内にこれら透明壁９、９、９、扉１２、天壁１１及び底枠６中央の底板１３により囲繞された陳列室１４が構成されている。そして、扉１２はこの陳列室１４の前面の開口を開閉自在に閉塞する。尚、１５はこの扉１２のサッシュ１２Ａの非枢支側（向かって左側）の上下方向（長手方向）の中央前面に取り付けられた把手であり、１６は陳列室１４の前面開口周囲に位置して本体３に取り付けられたマグネットガスケットであり、扉１２を閉じたときに当該扉１２に密着してシールする。
【００１５】
前記断熱壁４の下方には周囲にパネル１７・・・が取り付けられた機械室１８が構成されており、この機械室１８内には冷却装置の冷媒回路を構成する図示しない圧縮機や凝縮器が設置される。前記断熱壁４内には上面が開口した冷却室１９が構成され（図３）、この冷却室１９内には前記冷媒回路を構成するこれも図示しない冷却器と送風機が設置されている。前記底板１３は底枠６同様の硬質合成樹脂にて成形され、この冷却室１９の上面開口を閉塞するかたちで底枠６に着脱可能に取り付けられてる。尚、この底板１３は組立作業性及びメンテナンス性のために底枠６に対して着脱可能とされているが、設計によっては一体に成形されていてもよい。別体／一体の何れにしても底板１３は底枠６の一部を構成するものである。
【００１６】
この底板１３の向かって右側には手前から奥に渡って冷気吐出口２１が一体成形されており、向かって左側には手前から奥に渡って冷気吸込口２２が一体成形されている。この冷気吸込口２２は冷却室１９内の前記冷却器の冷気吸込側に連通し、冷気吐出口２１は冷気吐出側に連通している。また、底枠６の四隅からはアングル２３が起立しており（図１では前四隅のみ示す）、このアングル２３に前記前支柱７、７及び後支柱８、８が連結されて立設される。
【００１７】
前支柱７、７と後支柱８、８には上下に複数の係合孔が形成された棚支持部２４、２６が一体に形成されており、後支柱８、８の棚支持部２６、２６の係合孔に後左右を挿入係合し、前支柱７、７の棚支持部２４、２４の係合孔に前左右をネジ止めすることで、陳列室１４内には商品陳列用の網棚２が架設される。尚、この網棚２は使用形態に応じて一段若しくは上下に複数段架設されることになる。
【００１８】
網棚２は鋼材から成る線条や硬質合成樹脂などから略矩形状に構成されており、その向かって右側の辺と向かって右側の透明壁９及び向かって左側の辺と向かって左側の透明壁９との間には、前記冷気吐出口２１及び冷気吸込口２２の上方に対応する間隔Ｇ１、Ｇ２がそれぞれ構成されている。この場合、網棚２の左右方向の中心は向かって左側（冷気吸込口２２側）に偏位され、その載置面積が向かって左側（冷気吸込口２２側）に拡張されており、これによって、冷気吸込口２２の上方に対応する間隔Ｇ２は冷気吐出口２１の上方に対応する間隔Ｇ１より狭くなっている。尚、図２の間隔Ｇ１は従来のショーケースにおいて網棚の左右に構成されていた間隔と同様の間隔である。
【００１９】
後支柱８には図４に示すように棚支持部２６の内側（左側の後支柱８では右側、右側の後支柱８では左側）に配線収納部２８が一体に成形されている。この配線収納部２８には扉１２の内面上端部に取り付けられる図示しない蛍光灯（照明）に給電するための配線が収納される。配線収納部２８は前面が上下に渡って開口しており、この開口を狭めるかたちで軟質合成樹脂から成るヒレ片２９が二重押出成形によって後支柱８に一体に成形されている。配線を配線収納部２８に収納する際にはこのヒレ片２９を押し退けて開口より挿入する。挿入した後はヒレ片２９が復帰して開口を狭めるかたちとなるので、配線が開口から出てくることは無くなる。
【００２０】
尚、後支柱８（前支柱７も同様）には透明壁９に密着する軟質のヒレ片３１も一体に成形されており、これによって、透明壁９のシールと保持性能を確保している。また、天壁１１内には図示しない断熱材が取り付けられており、この断熱材には配線引き回し用の溝が形成されている。機械室１８から後支柱８の配線収納部２８内を上昇してきた配線は、この溝内を通って扉１２の蛍光灯に至る。即ち、蛍光灯と配線間にはカプラは設けられない。また、扉１２は枢支する側が左右に反転可能（実施例では向かって右側に枢支されている）とされており、天壁１１の溝は係る扉１２の反転に対応できるように左右対称に形成されている。
【００２１】
一方、ショーケース１には施錠装置３２が設けられている。この施錠装置３２は、本体３を構成する向かって左側の前支柱７の上下方向（長手方向）の中央付近に取り付けられた本体側鍵金具３３と、扉１２のサッシュ１２Ａの非枢支側（閉じた状態の向かって左側）の上下方向（長手方向）の中央付近内面（把手１５の反対側）に取り付けられた扉側鍵金具３４と、錠前３６とから構成される（図２、図５〜図９）。
【００２２】
両鍵金具３３、３４は何れも同一形状を呈したステンレス等の非磁性体の板から成り、上端をビス３７により前支柱７、サッシュ１２Ａにそれぞれ回動自在に取り付けられている。この場合、扉側鍵金具３４は本体側鍵金具３３の上側に位置しており、図５の如く常には（不使用時）それぞれが垂下しており、係る垂下した状態では相互に重複すること無く、本体３と扉１２との間隔内に位置している（図５。尚、この図では扉側鍵金具３４を仮想して記載している。）。このように配置することで、本体３と扉１２との間隔を拡大しなくて済む。
【００２３】
また、図９に示すように本体側鍵金具３３は階段状に前側に屈曲されており、その先端には透孔３３Ａが形成されている。また、扉側鍵金具３４は階段状に後側に屈曲されており（本体側鍵金具３３の反転して使用している）、その先端には同様に透孔３４Ａが形成されている。そして、後述する如く扉１２を施錠する際には、扉１２を閉じた状態で扉側鍵金具３４を向かって左斜め下方に回動させ、本体側鍵金具３３を向かって左斜め上方に回動させると、それらの先端は本体３と扉１２の間隔から外方（向かって左側）に張り出し、透孔３３Ａ、３４Ａは本体３と扉１２の間隔の外方（左側）で相互に合致する（図７、図８）。このとき、本体側鍵金具３３の先端は扉側鍵金具３４の先端の扉１２側（前面側）に密接する構成とされている（図９）。
【００２４】
尚、前支柱７の前面には垂下した状態の本体側鍵金具３３の透孔３３Ａが係脱自在に係合する突起３８が形成されている。また、扉１２のサッシュ１２Ａにも垂下した状態の扉側鍵金具３４の透孔３４Ａに係脱自在に係合する図示しない突起が形成されており、これにより、扉１２回動時の衝撃や遠心力に対して各鍵金具３３、３４は垂下した状態を保持される。
【００２５】
以上の構成で、機械室１８内の前記圧縮機と冷却室１９内の前記送風機が運転されると、冷却器が冷却作用を発揮し、この冷却器と熱交換した冷気は送風機により向かって右側の冷気吐出口２１から上方に向かって吐出される。この冷気吐出口２１から吐出された冷気は網棚２と向かって右側の透明壁９間の間隔Ｇ１を通って上昇し、向かって左側の間隔Ｇ２を通って降下し、冷気吸込口２２から吸い込まれることで陳列室１４内を循環する。これによって、陳列室１４内に架設された網棚２上の商品は所定の温度に冷却される。
【００２６】
このとき、前述の如く網棚２の向かって左側が拡張されている関係上、間隔Ｇ２は間隔Ｇ１より狭くされているが、この間隔Ｇ２は陳列室１８内を冷却した後の冷気が降下する通路であるので、冷気は自重によっても降下し易いため、冷却性能には支障は生じない。
【００２７】
次に、閉店時にショーケース１の扉１２を施錠する際には、前述の如く扉１２を閉じ、扉側鍵金具３４を向かって左斜め下方に回動させると共に、本体側鍵金具３３を向かって左斜め上方に回動させ、前述の如く透孔３３Ａ、３４Ａを相互に合致させる）。その状態で錠前３６のフックを各透孔３３Ａ、３４Ａに挿通して施錠する（図６、図７、図８）。
【００２８】
このとき、前述した如く本体側鍵金具３３の先端は扉側鍵金具３４の先端の扉１２側（前面側）に密接する構成とされているので、施錠した状態における両鍵金具３３、３４の所謂ガタ付き（錠前３６のフック内における移動）も発生しない。
【００２９】
また、施錠装置３２を係る構成としたことで、各鍵金具３３、３４は施錠時のみ本体３と扉１２の間隔より外側に張り出し、常には本体３と扉１２の間隔内に格納しておけるので、外観が悪化することも無く、また、通常の扉開閉に際して各鍵金具３３、３４が邪魔になることもない。特に、各鍵金具３３、３４を回動自在に本体３又は扉１２に取り付けると云う簡単な構造であるので、コストの高騰も問題とならない。
【００３０】
また、各鍵金具３３、３４は、非磁性体にて構成されているので、マグネットガスケット１６の磁力の低下も引き起こさない。特に、施錠装置３２の各鍵金具３３、３４は扉１２の非枢支側の中央付近の本体３又は扉１２に取り付けられているので、施錠状態における扉１２の上下端部の反りを最小限に抑えることができるようになり、安全性をより一層向上させることができる。
【実施例２】
【００３１】
次に、図１０、図１１は本発明のショーケース１の他の実施形態を示している。尚、図１乃至図９と同一符号で示すものは同一とする。この場合の実施例のショーケース１は陳列室１３の前後面が開口し、その前後面の開口にそれぞれ扉を備えている。前記実施例の場合との主な変更点は、底枠と後支柱の形状、並びに、後面の透明壁に代わって扉が取り付けられたことであり、この場合の底枠を６Ａ、後支柱を８Ａ、後面の扉（後扉）を４１でそれぞれ示す。底枠６Ａは前記底枠６と同一の成型金型に中子を挿入することにより、後部四隅にこの場合の後支柱８Ａ、８Ａを立設できる形状に成形される。
【００３２】
また、後支柱８Ａは扉４１を同一寸法内で取り付け、且つ、陳列室１４の後面開口の間口を確保する関係上、前側（扉１２側）に移動して取り付けられ、その形状も前述した後支柱８と異なっている。即ち、この場合の後支柱８Ａは前記前支柱７と略同一の形状を呈しており、同様の棚支持部４２に加えて配線収納部４３、４４が二個所前側にそれぞれ並設されている。そして、各配線収納部４３、４４の開口にも軟質合成樹脂から成るヒレ片４６、４７が同様に二重押出によって一体に成形されている。そして、この場合の配線収納部４３、４３、４４、４４には前述した蛍光灯の配線の他、陳列室１４内を加温使用する場合の電気ヒータへの配線が収納されることになる。
【００３３】
扉４１は前述した前面の扉１２と同一構造のものであるが、後支柱８Ａ、８Ａが前側に移動したことで、把手４８を除くその外面は図１のショーケース１の後面の透明壁９の外面と同一の位置に来る（同一外寸）。これにより、図１の一枚扉の場合と、図１０の前後二枚扉の場合とで、実質同一寸法を実現し、輸送や保管時の取扱性の向上を図っている。尚、この場合の扉４１にも前述した施錠装置３２は設けられるものとする。
【図面の簡単な説明】
【００３４】
【図１】本発明の実施例のショーケースの分解斜視図である。（実施例１）
【図２】図１のショーケースの天壁を除く平面図である。
【図３】図１のショーケースの天壁、網棚、底板を除く平面図である。
【図４】図３の後部の拡大図である。
【図５】図１のショーケースの施錠装置部分の拡大正面図である。
【図６】施錠状態の図１のショーケースの上部斜視図である。
【図７】施錠状態の図１のショーケースの施錠装置部分の拡大正面図である。
【図８】同じく施錠状態の図１のショーケースの施錠装置部分の拡大斜視図である。
【図９】図１のショーケースの施錠装置の各鍵金具の平面図である。
【図１０】本発明の他の実施例のショーケースの天壁、網棚、底板を除く平面図である。
【図１１】図１０の後部の拡大図である。
【符号の説明】
【００３５】
１  ショーケース
２  網棚
３  本体
４  断熱壁
６  底枠
７  前支柱
８、８Ａ  後支柱
９  透明壁
１２、４１  扉
１４  陳列室
２１  冷気吐出口
２２  冷気吸込口
２８、４３、４４  配線収納部
３２  施錠装置
３３  本体側鍵金具
３４  扉側鍵金具
３３Ａ、３４Ａ  透孔
３６  錠前
３８  突起
【図１】
2005156117.tif 000003
【図２】
2005156117.tif 000004
【図３】
2005156117.tif 000005
【図４】
2005156117.tif 000006
【図５】
2005156117.tif 000007
【図６】
2005156117.tif 000008
【図７】
2005156117.tif 000009
【図８】
2005156117.tif 000010
【図９】
2005156117.tif 000011
【図１０】
2005156117.tif 000012
【図１１】
2005156117.tif 000013